(57)【要約】【課題】シートスルー読み取りにおいても、特定原稿検出手段による認識率の低下を防ぐ。【解決手段】ＣＰＵ１０は、シートスルー読み取りの場合、システム部３０のメモリ３１内のシートスルー倍率変換テーブルを参照し、モータ４０とモータドライバ４１とを含む図示しないＡＤＦ駆動部へ倍率を設定し、さらに、特定原稿検出手段１５へもＡＤＦ駆動部へ設定した倍率を設定する。特定原稿検出手段１５は、設定された倍率の辞書（特定画像データ）を用いて読取画像データが特定原稿であるかのパターンマッチングを行い、その結果としての検出信号をＣＰＵ１０へ出力する。その際、ＣＰＵ１０は、検出信号に応じてプリンタ２で当該読取画像データの出力を制御する。【選択図】図１
2005184497.tif 000002
【特許請求の範囲】
【請求項１】
自動原稿送り装置を用いて原稿の画像を読み取り、読み取られた画像データに基づいて画像を形成する画像形成装置において、
複写倍率を設定する複写倍率設定手段と、
この複写倍率設定手段により設定された複写倍率に対して上記自動原稿送り装置を用いて読み取る場合の読取倍率を算出する算出手段と、
この算出手段で算出された読取倍率で上記自動原稿送り装置を制御する第１の制御手段と、
上記算出手段で算出された読取倍率を用いて上記自動原稿送り装置で読み取られる画像データが特定原稿であるか否かを検出する特定原稿検出手段と、
この特定原稿検出手段の検出結果に応じて上記読み取られる画像データの画像形成を制御する第２の制御手段と、
を具備したことを特徴とする画像形成装置。
【請求項２】
自動原稿送り装置と原稿の画像を読み取るスキャナとを有し、読み取られた画像データに基づいて画像を形成する画像形成装置において、
上記自動原稿送り装置を用いて原稿を移動させて上記スキャナで画像を読み取る場合に用いる第１の倍率変換テーブルと、原稿を固定して上記スキャナで画像を読み取る場合に用いる第２の倍率変換テーブルとを予め記憶している記憶手段と、
読み取られた画像データが特定原稿であるか否かを検出する特定原稿検出手段と、
複写倍率が設定された際、上記自動原稿送り装置を用いた原稿移動読み取りか原稿固定読み取りかを確認する確認手段と、
この確認手段で原稿移動読み取りであった場合、上記記憶手段に記憶されている第１の倍率変換テーブルを用いて上記設定された複写倍率に対する上記自動原稿送り装置を用いた読取倍率に変換する第１の変換手段と、
この第１の変換手段で変換された読取倍率を上記自動原稿送り装置と上記特定原稿検出手段とに設定する第１の設定手段と、
上記確認手段で原稿固定読み取りであった場合、上記記憶手段に記憶されている第２の倍率変換テーブルを用いて上記設定された複写倍率に対する上記スキャナでの読取倍率に変換する第２の変換手段と、
この第２の変換手段で変換された読取倍率を上記スキャナと上記特定原稿検出手段とに設定する第２の設定手段と、
を具備したことを特徴とする画像形成装置。
【請求項３】
自動原稿送り装置を用いて原稿の画像を読み取り、読み取られた画像データに基づいて画像を形成する画像形成方法であって、
複写倍率が設定された際、この設定された複写倍率に対して上記自動原稿送り装置を用いて読み取る場合の読取倍率を算出し、
この算出された読取倍率で上記自動原稿送り装置を用いた読取動作を制御し、
上記算出された読取倍率を用いて上記自動原稿送り装置で読み取られる画像データが特定原稿であるか否かを検出し、
この検出結果に応じて上記読み取られる画像データの画像形成を制御するようにしたことを特徴とする画像形成方法。
【請求項４】
自動原稿送り装置と原稿の画像を読み取るスキャナとを有し、読み取られた画像データに基づいて画像を形成する画像形成方法であって、
上記自動原稿送り装置を用いて原稿を移動させて上記スキャナで画像を読み取る場合に用いる第１の倍率変換テーブルと、原稿を固定して上記スキャナで画像を読み取る場合に用いる第２の倍率変換テーブルとを予め記憶し、
複写倍率が設定された際、上記自動原稿送り装置を用いた原稿移動読み取りか原稿固定読み取りかを確認し、
原稿移動読み取りであった場合、
上記第１の倍率変換テーブルを用いて上記設定された複写倍率に対する上記自動原稿送り装置を用いた第１の読取倍率に変換し、
この変換された第１の読取倍率を用いて上記自動原稿送り装置を用いた読取動作を制御し、
上記変換された第１の読取倍率を用いて読み取られた画像データが特定原稿であるか否かを検出し、
原稿固定読み取りであった場合、
上記第２の倍率変換テーブルを用いて上記設定された複写倍率に対する上記スキャナでの第２の読取倍率に変換し、
この第２の読取倍率を用いて上記スキャナの読取動作を制御し、
上記変換された第２の読取倍率を用いて読み取られた画像データが特定原稿であるか否かを検出するようにしたことを特徴とする画像形成方法。
【発明の詳細な説明】
【技術分野】
【０００１】
この発明は、入力画像が紙幣や有価証券などの特定原稿であるか否かを判定する装置を有してカラーの画像を形成するカラー複合機等の画像形成装置と画像形成方法に関する。
【背景技術】
【０００２】
従来のカラー複合機では、複写を行う場合、原稿を原稿台に載置（固定）してキャリッジを移動することにより原稿の画像を読み取るものであった（以下、固定原稿読取と記述する）。また、カラー複合機では、特定原稿の複写を禁止するために、特定原稿を検出する手段と、この手段で特定原稿を検出した際に当該画像データの全面を塗りつぶす手段とを有している。
【０００３】
近年、高速化が進んでカラー複合機に自動原稿送り装置（以下、ＡＤＦと記述する）を取り付けて、シートスルーによる読み取りが増えてきている。
【０００４】
ＡＤＦを用いたカラー複写機において、特定画像判別装置を有して入力画像が紙幣や有価証券などの特定原稿であるか否かを判定する技術が開示されている（例えば、特許文献１）。
【０００５】
しかしながら、ＡＤＦのシートスルーによる読み取りは、従来の固定原稿読取に対して振動等による色ずれの影響を受け易くなっており、紙幣や有価証券などの特定原稿の種類によってはカラー複合機が有する特定原稿検出手段の認識率が低下してしまうという懸念がされている。
【０００６】
一方、このようなＡＤＦを有するカラー複合機は、通常、装置の組立時や設置時に、設定された複写倍率とプリンタで出力された複写画像とが一致するようスキャナ単体またはＡＤＦ単体で読取倍率（読取速度）が調整されている。具体的には、ＡＤＦとスキャナを用いて実際に原稿を読み取ってプリンタで複写画像を出力する場合は、スキャナ、ＡＤＦの倍率をそれぞれ微調整して複写画像の倍率を適正化している。例えば、コントロールパネルでの設定が倍率１００％であっても、プリンタの出力画像の倍率１００％、スキャナ倍率９９％、ＡＤＦ９８％とするように、倍率が異なることが発生している。
【特許文献１】特開平８−３７５９５号公報
【発明の開示】
【発明が解決しようとする課題】
【０００７】
上記したように、シートスルー読み取りの場合、固定原稿読取に比べ、原稿が振動していることから特定原稿の認識率が低下傾向にあり、また、特定原稿検出手段への倍率設定が実際の値ではないのでさらに認識率が低下するという問題があった。
【０００８】
この発明の目的は、シートスルー読み取りにおいても、特定原稿検出手段による認識率の低下を防ぐことのできる画像形成装置と画像形成方法を提供することである。
【課題を解決するための手段】
【０００９】
この発明の画像形成装置は、自動原稿送り装置を用いて原稿の画像を読み取り、読み取られた画像データに基づいて画像を形成する画像形成装置において、複写倍率を設定する複写倍率設定手段と、この複写倍率設定手段で設定された複写倍率に対して上記自動原稿送り装置を用いて読み取る場合の読取倍率を算出する算出手段と、この算出手段で算出された読取倍率で上記自動原稿送り装置を制御する第１の制御手段と、上記算出手段で算出された読取倍率を用いて上記自動原稿送り装置で読み取られる画像データが特定原稿であるか否かを検出する特定原稿検出手段と、この特定原稿検出手段の検出結果に応じて上記読み取られる画像データの画像形成を制御する第２の制御手段とから構成されている。
【００１０】
また、この発明の画像形成方法は、自動原稿送り装置を用いて原稿の画像を読み取り、読み取られた画像データに基づいて画像を形成する画像形成方法であって、複写倍率が設定された際、この設定された複写倍率に対して上記自動原稿送り装置を用いて読み取る場合の読取倍率を算出し、この算出された読取倍率で上記自動原稿送り装置を用いた読取動作を制御し、上記算出された読取倍率を用いて上記自動原稿送り装置で読み取られる画像データが特定原稿であるか否かを検出し、この検出結果に応じて上記読み取られる画像データの画像形成を制御するようにしたことを特徴とする。
【発明の効果】
【００１１】
本発明の画像形成装置は、ＡＤＦ倍率、スキャナ倍率での実際の読取倍率で特定原稿検出手段に設定することにより、特定原稿検出における認識率の低下を防ぐことが可能となる。
【発明を実施するための最良の形態】
【００１２】
以下、図面を参照して、この発明の実施の形態について詳細に説明する。
【００１３】
図１は、この発明の画像形成装置に係る特定原稿検出手段を有するカラー複合機の概略構成を示すものである。すなわち、カラー複合機は、スキャナ１、プリンタ２、コントロールパネル３、及び自動原稿送り装置（ＡＤＦ）４とから構成されている。
【００１４】
スキャナ１は、スキャナ全体の制御を司るＣＰＵ１０、カラー用の複数のラインセンサで構成されるＣＣＤセンサ１１、画像処理を行う画像処理部１３、特定原稿を検出する特定原稿検出手段１５、辞書（特定画像データ）、制御プログラム等が記憶されているＥＰＲＯＭ１７、図示しないスキャナ駆動部を動作するためのモータ１９、及びモータ１９を駆動するモータドライバ２０とから構成されている。
【００１５】
プリンタ２は、図示しないＣＰＵに制御され、画像データに基づいて用紙に画像を形成する。
【００１６】
コントロールパネル３は、図示しないテンキー、液晶表示部等を有し、複写倍率、出力枚数等の操作入力を行う。
【００１７】
ＡＤＦ４は、モータ４０とモータドライバ４１とを含む図示しないＡＤＦ駆動部を有し、載置された原稿を送り出してシートスルー読み取りを実現する。
【００１８】
図２は、特定原稿検出手段１５の周辺の詳しい構成を示すものである。すなわち、ＣＣＤセンサ１１で読み取られた赤（Ｒｅｄ）、緑（Ｇｒｅｅｎ）、青（Ｂｌｕｅ）の画像データは、前処理回路１２に入力される。前処理回路１２は、入力された画像データ（赤、緑、青）の増幅、Ａ／Ｄ変換等の前処理を行って画像処理部１３へ出力する。
【００１９】
画像処理部１３は、入力された画像データ（赤、緑、青）に対して、シェーディング補正、ライン間補正等を行って特定原稿検出手段１５とシステム部３０へ出力する。
【００２０】
特定原稿検出手段１５には、ＣＰＵ１０によりＥＰＲＯＭ１７から読み出された特定原稿を検出するための辞書（特定画像データ）が予めダウンロードされている。さらに詳しくは後述するが、特定原稿検出手段１５は、設定される倍率に応じた辞書（特定画像データ）と読取画像データとのパターンマッチングを行って特定原稿であるか否かを検出し、その検出信号をＣＰＵ１０へ出力する。
【００２１】
また、ＥＰＲＯＭ１７と共にワークメモリとしてのＳＲＡＭ１８も設けられている。
【００２２】
画像処理部１３、特定原稿検出手段１５、ＥＰＲＯＭ１７、及びＳＲＡＭ１８とは、リード信号線５１、ライト信号線５２、アドレスバス５３、及びデータバス５４とにより接続されている。
【００２３】
ＣＰＵ１０とＡＤＦ４とは、シリアル通信で接続されている。
【００２４】
また、ＣＰＵ１０とシステム部３０とも、シリアル通信で接続されている。
【００２５】
システム部３０は、メモリ３１を有し、図１で示したプリンタ２、複写倍率等を設定するコントロールパネル３に接続されている。メモリ３１には、予めシートスルーモードが選択された際に用いられる、複数の複写倍率に対応した読取倍率をそれぞれ記憶したシートスルー倍率変換テーブルと、スキャナモードが選択された際に用いられる、複数の複写倍率に対応したスキャナ倍率をそれぞれ記憶したスキャナ倍率変換テーブルとが記憶されている。
【００２６】
シートスルー倍率変換テーブルとスキャナ倍率変換テーブルとは、当該カラー複合機の組立や調整時にそれぞれの値が設定されている。
【００２７】
次に、このような構成において本カラー複合機における特定原稿検出の動作を図３のフローチャートを参照して説明する。
【００２８】
まず、ユーザによってコントロールパネル３から複写倍率が設定された際（ＳＴ１）、ＣＰＵ１０は、ＡＤＦ４からのシートスルー読み取り（原稿移動読み取り）か、図示しない原稿台に原稿が置かれるスキャン動作読み取り（原稿固定読み取り）かを確認する（ＳＴ２）。
【００２９】
シートスルー読み取りの場合、ＣＰＵ１０は、システム部３０のメモリ３１内のシートスルー倍率変換テーブルを参照し（ＳＴ４）、モータ４０とモータドライバ４１とを含む図示しないＡＤＦ駆動部へ倍率を設定する（ＳＴ５）。
【００３０】
さらに、ＣＰＵ１０は、特定原稿検出手段１５へもＡＤＦ駆動部へ設定した倍率を設定する（ＳＴ６）。
【００３１】
そして、特定原稿検出手段１５は、設定された倍率の辞書（特定画像データ）を用いて読取画像データが特定原稿であるかのパターンマッチングを行い、その結果としての検出信号をＣＰＵ１０へ出力する（ＳＴ７）。その際、ＣＰＵ１０は、検出信号に応じてプリンタ２で当該読取画像データの出力を制御する。すなわち、検出信号が特定原稿を検出したものであった場合、ＣＰＵ１０は、当該読取画像データの出力を禁止する。
【００３２】
また、ステップＳＴ２でシートスルー読み取りではなくスキャン動作読み取りの場合、ＣＰＵ１０は、システム部３０のメモリ３１内のスキャナ倍率変換テーブルを参照し（ＳＴ８）、モータ１９とモータドライバ２０とを含む図示しないスキャナ駆動部へ倍率を設定する（ＳＴ９）。
【００３３】
さらに、ＣＰＵ１０は、特定原稿検出手段１５へもスキャナ駆動部へ設定した倍率を設定する（ＳＴ１０）。
【００３４】
そして、特定原稿検出手段１５は、設定された倍率の辞書（特定画像データ）を用いて読取画像データが特定原稿であるかのパターンマッチングを行い、その結果としての検出信号をＣＰＵ１０へ出力する（ＳＴ７）。その際、ＣＰＵ１０は、検出信号に応じてプリンタ２で当該読取画像データの出力を制御する。すなわち、検出信号が特定原稿を検出したものであった場合、ＣＰＵ１０は、当該読取画像データの出力を禁止する。
【００３５】
図４は、ＡＤＦ駆動部またはスキャナ駆動部への設定倍率と特定原稿検出手段１５に設定する倍率とに違いがあった場合の特定原稿認識率の関係を示すものである。
【００３６】
すなわち、従来はコントロールパネル３に設定された倍率がそのまま特定原稿検出手段１５に設定されるので、実際のＡＤＦ駆動部またはスキャナ駆動部への設定倍率と違いがある場合があった。
【００３７】
その結果、図において、例えば、倍率差が０％の場合の認識率は１００％であるが、倍率差＋１％の場合の認識率は７０％と低下する。このように倍率差が発生すると、読取画像データと特定原稿検出手段１５で用いる辞書との画像倍率が合わず、正確なパターンマッチングを行うことができなくなる。その結果、認識率が低下することになる。
【００３８】
以上説明したように上記発明の実施の形態によれば、コントロールパネル３に設定される倍率に基づいて特定原稿検出手段１５に設定される倍率を決定することで特定原稿検出手段１５への設定倍率と実際のＡＤＦ駆動部またはスキャナ駆動部への設定倍率とを整合させることにより、認識率の低下を防ぐことができる。
【００３９】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。さらに、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００４０】
【図１】この発明の画像形成装置に係る特定原稿検出手段を有するカラー複合機の概略構成を示すブロック図。
【図２】特定原稿検出手段の周辺の詳しい構成を示す図。
【図３】特定原稿検出の動作を説明するためのフローチャート。
【図４】設定倍率に差あった場合の特定原稿認識率の関係を示す図。
【符号の説明】
【００４１】
１…スキャナ、２…プリンタ、３…コントロールパネル、４…自動原稿送り装置、１０…ＣＰＵ、１１…ＣＣＤセンサ、１２…前処理回路、１３…画像処理部、１５…特定原稿検出手段、１７…ＥＥＰＲＯＭ、１８…ＳＲＡＭ、１９，４０…モータ、２０，４１…モータドライバ、３０…システム部、３１…メモリ。
【図１】
2005184497.tif 000003
【図２】
2005184497.tif 000004
【図３】
2005184497.tif 000005
【図４】
2005184497.tif 000006